【事件の表示】
　平成１０年特許願第１４９０６６号「無線選択呼出受信機」拒絶査定不服審判事件〔平成１１年　２月２６日出願公開、特開平１１−　５５７０７、請求項の数（２）〕について、次のとおり審決する。
【結　論】
　原査定を取り消す。
　本願の発明は、特許すべきものとする。
【理　由】
１．手続の経緯・本願発明
　本願は、平成８年４月１２日に出願した特願平８−９１４４９号の一部を平成１０年５月２９日に新たな特許出願としたものであって、その請求項１及び請求項２に係る発明は、平成１２年６月１２日付の手続補正により補正された明細書及び図面の記載からみて、その特許請求の範囲の請求項１及び請求項２に記載されたとおりの以下の事項により特定されるものである。
「【請求項１】メッセージを受信すると表示部に前記受信メッセージを表示し、同時に呼出動作を行う無線選択呼出受信機において、前記メッセージが音声メッセージの場合には前記音声メッセージを受信した旨の内容を示す予め定められた文字又は画像を表示する表示手段と、前記音声メッセージを格納する記憶手段と、前記記憶手段に格納された前記音声メッセージとそれ以外の通常のメッセージを１つの読出操作によって読出す読出手段と、読出された前記音声メッセージを再生する再生手段とを含み、前記１つの読出操作によって前記再生手段で音声が再生されるとともに、読出された前記通常のメッセージを前記表示手段に表示することを特徴とする無線選択呼出受信機。　　
【請求項２】メッセージを受信すると表示部に前記受信メッセージを表示し、同時に呼出動作を行う無線選択呼出受信機において、前記メッセージが音声メッセージの場合には前記音声メッセージを受信した旨の内容を示す予め定められた文字又は画像を表示し、音声メッセージを非出力とする手段と、前記音声メッセージを格納する記憶手段と、前記記憶手段に格納された前記音声メッセージとそれ以外の通常のメッセージを１つの読出操作によって読出す読出手段と、読出された前記音声メッセージを再生する再生手段とを含み、前記１つの読出操作によって前記再生手段で音声が再生されるとともに、読出された前記通常のメッセージを前記手段により表示することを特徴とする無線選択呼出受信機。」
　
２．刊行物記載の発明
（１）当審の拒絶の理由通知において引用された刊行物１（特開平５−２４４０６１号公報）には、以下の事項が記載されている。
ア．「【請求項１】 少なくとも音声情報を記憶する記憶手段と上記記憶手段の音声情報を再生する手段をもつ無線選択呼出し受信機において、上記音声情報が記憶手段に記憶されたことを表示する表示手段を備えたことを特徴とする無線選択呼出し受信機。」
　
イ．「【産業上の利用分野】本発明は、無線選択呼出し受信機に係るもので、特に、単なる呼び出し音のみならず、受信した数字、音声情報等を一旦記憶し再生するできる無線選択呼出し受信機に関する。」
　
ウ．「【発明が解決しようとする課題】数字、文字情報に加えて音声情報も記憶可能な無線選択呼出し受信機では、通常、無線選択呼出し受信機携帯者の操作によって、数字情報及び音声情報の再生を行い、表示装置に表示したり、音声信号にする。その場合、数字メッセージと音声メッセージの混在情報、又はどちらかの単一情報を伝送した場合、被呼者は蓄積情報の全体が分からないため表示器で数字メッセージを読み取り、スピーカ等で音声情報を聞く全ての操作を行う必要がある。又、数字メッセージは一目瞭然であるが、音声メッセージは、再生しないと情報の存在が分からないために、被呼者は必ず再生操作を行うという煩わしさがある。又、音声再生時においても音声情報の終わりが分からないため、いつまで続くのだろうという苛立ち感が生じるという問題もあった。更に、又、無線選択呼出し受信機は、電池の交換頻度を少なくするために、消費電力が小さいことが要求される。」
　
エ．「【課題を解決するための手段】上記目的を達成するために、本発明は、少なくとも音声情報を受信し記憶する手段をもつ無線選択呼出し受信機に、音声情報の情報量を調べる手段と、上記種音声情報の情報量を表示する表示手段とを設けて構成した。上記音声情報の情報量を調べる手段は、音声の有無のみ場合、記憶手段に記憶された音声情報の情報量を得る場合を含む。上記表示手段は、特に限定されないが、音声情報の情報量の有無、量、を記号、色、グラフで識別しやすい表示形態で表示する。【０００６】更に伝送情報に、音声情報の他に、文字情報、数値情報、記号情報等の他の情報が付加される場合は、表示手段に受信情報の種別を識別する手段を付加し、上記表示手段に上記受信情報の種別を表示する構成とする。表示の形態は任意であるが、瞬時に判別しやすいように、受信情報の種別の情報は文字、色又は記号で表示するのが好ましい。」
　
オ．「【発明の効果】本発明によれば、被呼者が全体のメッセージの確認を行いやすくなり、無駄な再生操作が防止され、操作性が向上する。」
　
カ．「【実施例】本発明の実施例について、図面を用いて説明する。図１は、本発明による無線選択呼出し受信機の一実施例の構成ブロック図である。本実施例の構成において、基本的構成は従来知られている無線選択呼出し受信機と同じである。アンテナ１で受信した電波を復調器２で信号波形に戻し、制御信号は信号処理プロッサ（ＣＰＵ）３に入力して処理を行う。又、音声信号はアナログ信号であればＡ／Ｄ変換器６を通して記憶手段であるメモリ７に格納し、デジタル信号であればマイコン３に入力し処理をしてからメモリ７に格納する。格納後は、操作部５の指示により、表示器４に選択したメモリ７の内容を表示すると共に、Ｄ／Ａ変換器８、アンプ９、スピーカ１０で音声信号を再生する。」
　
キ．「【００１０】図２は、本発明による無線選択呼出し受信機の一実施例を示す装置の外観の正面図である。本装置は図１の全てのブロックを内包している。表示部２１、操作スイッチ２６，２７，２８、スピーカ２９で構成されている。表示部２１には複数のメモリの記憶位置（メモリバンク）を数字で表すメモリ表示部２３、再生、表示などの動作モード表示部２５、数字メッセージ２４が表示される。着信したメッセージの中に音声情報が存在すれば表示部４１に音声を表す文字２２が表示される。」
　
ク．「【００１２】図４は、本発明による無線選択呼出し受信機の一実施例におけるメモリにメッセージを格納するときのシーケンスを示す図である。まず、復調器２で復調された図３に示す信号列の識別信号３２から、自局のアドレス信号を検出する（ステップ４１，４２）。上記アドレス信号が検出されたならば、後とに続くメッセージデータ（図３の３２…３６）の取り込み処理を行う。数字メッセージであればそのままマイコン３に取り込むが（ステップ４３，４４）、音声メッセージが存在すれば、音声情報２（アナログ／デジタル）３８に従い、アナログ信号であればＡ／Ｄ変換器６を通し、デジタル信号であればマイコン３に入力し処理をしてからメモリ７に格納する（ステップ４５，４６，４７，４８）。メモリ７への格納が終了した後、音声格納フラグをセットし、ブザー等で呼出しを行う（ステップ４９）。」
　
ケ．「【００１３】図５は、本発明による無線選択呼出し受信機の一実施例における再生操作のシーケンスである。本実施例は、メモリ７に複数のメッセージを記憶できるので、再生操作は初めに再生するメモリバンク２３を選択スイッチ２７で選択する（ステップ５１）。選択されたメモリ７に数字メッセージが記憶されていれば数字メッセージを表示器４に表示する（ステップ５２，５３）。又、選択されたメモリ７に音声情報が含まれていれば表示器４に音声の格納を示す文字、又は記号２２を表示する（ステップ５４，５５）。その後、被呼者による音声の再生スイッチ操作（ステップ５６）があれば音声格納フラグをチェックし（ステップ５７）、音声情報が存在すれば音声の情報量を表示器４にバーグラフ、又は数字で表示し、音声の再生動作を行う（ステップ５８，５９，６０）。又、この時の音声の情報量表示は残り時間表示であり、一定時間ごとに表示は更新される。又、音声が格納されていなければ再生動作は行わない。」
　
コ．「【００１４】以上、本発明の１実施例について説明したが、上記本発明は上記実施例に限定されるものではない。図６、図７及び図８は、いずれも本発明の無線選択呼出し受信機の表示部２１の、特に音声情報に関する情報量の表示例を示す図である。図６は、表示部２１に音声を表すマーク２２と数値メッセージ２３を示した場合を示す。音声を表すマーク２２によって、音声の有無が識別される。再生するか否かは被呼者の判断による。マーク２２は文字でなく、記号、色で識別するようにしてもよい。図７は、表示部２１に音声を表すマーク２２と、数値メッセージ２４及び、音声の情報量７０を示した場合を示す。音声の情報量７０がバーグラフによって表示される。図８は、表示部２１に音声を表すマーク２２と、音声の情報量８０を示した場合を示す。音声の情報量８０が数値によって表示される。」
　
　上記ア．〜オ．の事項を参照すると、刊行物１には、
　少なくとも音声情報を記憶する記憶手段と上記記憶手段の音声情報を再生する手段をもつ無線選択呼出し受信機において、上記音声情報が記憶手段に記憶されたことを表示する表示手段を備えたことを特徴とする無線選択呼出し受信機が記載されている。
　
　また、上記カ．〜コ．の事項を参照すると、刊行物１には、
　無線選択呼出し受信機において、アンテナ１で受信した電波を復調器２で信号波形に戻し、制御信号は信号処理プロッサ（ＣＰＵ）３に入力して処理を行い、音声信号はアナログ信号であればＡ／Ｄ変換器６を通して記憶手段であるメモリ７に格納し、デジタル信号であればマイコン３に入力し処理をしてからメモリ７に格納し、格納後は、操作部５の指示により、表示器４に選択したメモリ７の内容を表示すると共に、Ｄ／Ａ変換器８、アンプ９、スピーカ１０で音声信号を再生すること、
　無線選択呼出し受信機は、表示部２１、操作スイッチ２６，２７，２８、スピーカ２９で構成され、表示部２１には、複数のメモリの記憶位置（メモリバンク）を数字で表すメモリ表示部２３、再生、表示などの動作モード表示部２５、数字メッセージ２４が表示され、着信したメッセージの中に音声情報が存在すれば表示部２１に音声を表す文字２２が表示されること、
　無線選択呼出し受信機のメモリにメッセージを格納するときのシーケンスでは、復調器２で復調された識別信号３２から、自局のアドレス信号を検出し、上記アドレス信号が検出されたならば、後とに続くメッセージデータ取り込み処理を行い、数字メッセージであればそのままマイコン３に取り込むが、音声メッセージが存在すれば、音声情報２に従い、アナログ信号であればＡ／Ｄ変換器６を通し、デジタル信号であればマイコン３に入力し処理をしてからメモリ７に格納し、メモリ７への格納が終了した後、音声格納フラグをセットし、ブザー等で呼出しを行うこと、
　無線選択呼出し受信機の再生操作のシーケンスでは、再生操作は初めに再生するメモリバンク２３を選択スイッチ２７で選択し、選択されたメモリ７に数字メッセージが記憶されていれば数字メッセージを表示器４に表示し、又、選択されたメモリ７に音声情報が含まれていれば表示器４に音声の格納を示す文字、又は記号２２を表示し、その後、被呼者による音声の再生スイッチ操作があれば音声格納フラグをチェックし、音声情報が存在すれば音声の情報量を表示器４にバーグラフ、又は数字で表示し、音声の再生動作を行い、又、この時の音声の情報量表示は残り時間表示であり、一定時間ごとに表示は更新され、音声が格納されていなければ再生動作は行わないこと、
　音声を表すマーク２２文字でなく、記号、色で識別するようにしてもよいことが記載されている。
　
　以上を勘案すると、刊行物１には、
　少なくとも音声情報を記憶する記憶手段と上記記憶手段の音声情報を再生する手段をもち、上記音声情報が記憶手段に記憶されたことを表示する表示手段を備えた無線選択呼出し受信機において、
　メッセージを受信し、数字メッセージであればそのままマイコン３に取り込むが、音声メッセージが存在すれば、アナログ信号であればＡ／Ｄ変換器６を通し、デジタル信号であればマイコン３に入力し処理をしてからメモリ７に格納し、
　メモリ７への格納が終了した後、音声格納フラグをセットし、ブザー等で呼出しを行い、
　再生操作では初めに再生するメモリバンク２３を選択スイッチ２７で選択し、選択されたメモリ７に数字メッセージが記憶されていれば数字メッセージを表示器４に表示し、又、選択されたメモリ７に音声情報が含まれていれば表示器４に音声の格納を示す文字、又は記号２２を表示し、その後、音声の再生スイッチ操作があれば、音声の再生動作を行う無線選択呼出し受信機（以下、「刊行物１記載の発明」という。）が記載されている。
　
（２）当審の拒絶の理由通知において引用された刊行物２（特開平４−３３９４２４号公報）には、以下の事項が記載されている。
ア．「【請求項１】ディジタル変調をかけた電波を受信する受信手段と、
　受信データを格納するデータ用メモリー手段と、
　格納したデータを表示させる表示手段と、
　データ格納後に受信メッセージを出力する音声手段と、
　スイッチ操作でデータ用メモリーのバンクを選定して受信データをＤ／Ａ変換して音声に変換する音声変換手段、
　とを備えたことを特徴とするボイスページャー。」
　
イ．「【産業上の利用分野】　本発明は、電話回線網を使用して外出者に多量の情報を送出することのできるボイスページャーおよびデータの受送信方式に関する。」
　
ウ．「【発明の解決しようとする課題】本発明は、既存の送信情報である電話番号等に加え、発信者の音声データを適時聞くことのできるボイスページャーと、特にそのために利用されるデータ受送信方式を提出することを目的とする。」
　
エ．「【課題を解決するための手段】ディジタル変調をかけた電波を受信する受信手段と、受信データを格納するデータ用メモリー手段と、格納したデータを表示させる表示手段と、データ格納後に受信メッセージを出力する音声手段と、スイッチ操作でデータ用メモリーのバンクを選定して受信データをＤ／Ａ変換して音声に変換する音声変換手段とを備えたことを特徴とするボイスページャー（請求項１）。」
　
オ．「【発明の効果】本発明は、次の効果を有する。（ａ）電話番号等の既存の送信情報に加え、発信者の音声データをどの場所からでも聞ける。（ｂ）ディジタルデータを利用するので、盗聴される可能性が激減する。」
　
カ．「【００２３】図４はボイスページャー６の機構を示すブロック図であり、７はアンテナ、８は受信部、９は数字、文字等を液晶等で表示する表示部、１０はＣＰＵ、１１は受信したことを知らせる受信メッセージを予め録音したＲＯＭ、１２は複数のバンクを備えたデータ用メモリー、１３はディジタルデータを音声としてのアナログデータに変換する音声変換部、１４はアンプ、１５はスピーカー、１６はボイスページャー６のボックスに設けられた制御用のスイッチである。」
　
キ．「【００２４】図４、図５を用いてボイスページャー６の使用方法を説明すると、まずアンテナ７で無線を受け、受信部８にデータが送り込まれると、ＣＰＵ１０で自身のＩＤかどうか判断する（スレップ１１）。」
　
ク．「【００２５】自身のＩＤで無い場合は、そのデータを捨て、終了し、自身のＩＤの場合は、データ用メモリー１２の例えばバンク１に書き込む（ステップ１２）。」
　
ケ．「【００２６】　それを受けて、ＲＯＭ１１に記録された受信メッセージを音声変換部１３、アンプ１４を介してスピーカー１５から音声として流す（ステップ１３）。」
　
コ．「【００２７】利用者は、受付けを確認し（ステップ１４）、スイッチ１６を押して音声を切り、次のスイッチ操作で表示部９に電話番号や誰からの呼出しかを画面表示で確認することもできるし、スイッチ操作でスピーカー１５から音声メッセージを再生することもできる。」
　
　上記ア．〜オ．の事項を参照すると、刊行物２には、
　ディジタル変調をかけた電波を受信する受信手段と、
　受信データを格納するデータ用メモリー手段と、
　格納したデータを表示させる表示手段と、
　データ格納後に受信メッセージを出力する音声手段と、
　スイッチ操作でデータ用メモリーのバンクを選定して受信データをＤ／Ａ変換して音声に変換する音声変換手段、
　とを備えたことを特徴とするボイスページャーが記載されている。
　
　また、上記カ．〜コ．の事項を参照すると、刊行物２には、
　ボイスページャー６は、アンテナ７、受信部８、数字、文字等を液晶等で表示する表示部９、１０はＣＰＵ１０、受信したことを知らせる受信メッセージを予め録音したＲＯＭ１１、複数のバンクを備えたデータ用メモリー１２、ディジタルデータを音声としてのアナログデータに変換する音声変換部１３、アンプ１４、スピーカー１５、ボイスページャー６のボックスに設けられた制御用のスイッチ１６を備えること、
　
　ボイスページャー６の使用方法では、まずアンテナ７で無線を受け、受信部８にデータが送り込まれると、ＣＰＵ１０で自身のＩＤかどうか判断し、　　
　自身のＩＤで無い場合は、そのデータを捨て、終了し、自身のＩＤの場合は、データ用メモリー１２の例えばバンク１に書き込み、
　それを受けて、ＲＯＭ１１に記録された受信メッセージを音声変換部１３、アンプ１４を介してスピーカー１５から音声として流し、
　利用者は、受付けを確認し、スイッチ１６を押して音声を切り、次のスイッチ操作で表示部９に電話番号や誰からの呼出しかを画面表示で確認することもできるし、スイッチ操作でスピーカー１５から音声メッセージを再生することもできることが記載されている。
　
　以上を勘案すると、刊行物２には、
　ディジタル変調をかけた電波を受信する受信手段と、受信データを格納するデータ用メモリー手段と、格納したデータを表示させる表示手段と、データ格納後に受信メッセージを出力する音声手段と、スイッチ操作でデータ用メモリーのバンクを選定して受信データをＤ／Ａ変換して音声に変換する音声変換手段、とを備えたボイスページャーにおいて、
　アンテナで無線を受け、自身のＩＤかどうか判断し、自身のＩＤの場合は、データ用メモリーのバンクに書き込み、
　それを受けて、ＲＯＭ１１に記録された受信メッセージを音声変換部１３、アンプ１４を介してスピーカー１５から音声として流し、
　利用者は、受付けを確認し、スイッチ１６を押して音声を切り、次のスイッチ操作で、表示部に電話番号や誰からの呼出しかを画面表示で確認することもできるし、スイッチ操作でスピーカー１５から音声メッセージを再生することもできるボイスページャー（以下、「刊行物２記載の発明」という。）が記載されている。
　
３．対比・判断
［請求項１］に係る発明について
（１）対比
　請求項１に係る発明と刊行物１記載の発明とを対比すると、
ア．刊行物１記載の発明の「着信したメッセージの中に音声情報が存在すれば音声を表す文字２２が表示される表示部２１」は、請求項１に係る発明の「前記メッセージが音声メッセージの場合には音声メッセージに対応した文字又は画像を表示する表示手段」に対応する。
　
イ．刊行物１記載の発明の「音声信号を格納するメモリ７」は、請求項１に係る発明の「音声メッセージを格納する記憶手段」に対応する。
　
ウ．刊行物１記載の発明の「音声信号を再生するＤ／Ａ変換器８、アンプ９、スピーカ１０」は、請求項１に係る発明の「読出された音声メッセージを再生する再生手段」に対応する。
　
エ．刊行物１記載の発明の「数字メッセージ２４等を表示する表示部２１」は、請求項１に係る発明の「通常のメッセージを表示する表示手段」に対応する。
　
オ．刊行物１記載の発明の「操作部５」は、操作部５の指示により、表示器４に選択したメモリ７の内容を表示すると共に、Ｄ／Ａ変換器８、アンプ９、スピーカ１０で音声信号を再生するものであるから、読出操作により前記記憶手段に格納された音声メッセージを読出す点では、請求項１に係る発明の「読出手段」と一致している。
　
カ．刊行物１記載の発明の「無線選択呼出し受信機」は、請求項１に係る発明の「無線選択呼出受信機」に対応する。
　
　したがって、両者は、以下の点で一致し、以下の各点で相違する。　
＜一致点＞
　無線選択呼出受信機において、メッセージが音声メッセージの場合には予め定められた文字又は画像を表示する表示手段と、音声メッセージを格納する記憶手段と、前記記憶手段に格納された音声メッセージとそれ以外の通常のメッセージを読出操作によって読出す読出手段と、読出された音声メッセージを再生する再生手段とを含み、前記の読出操作によって前記再生手段で音声が再生されるとともに、読出された前記通常のメッセージを前記表示手段に表示する無線選択呼出受信機。
　
＜相違点＞
（ア）無線選択呼出受信機が、
　請求項１に係る発明では、メッセージを受信すると表示部に前記メッセージを表示し、同時に呼出動作を行う受信機であるのに対し、
　刊行物１記載の発明では、メッセージを受信すると、一旦、メモリに格納し、格納後、呼出動作を行う点。
　
（イ）請求項１に係る発明では、メッセージを受信すると表示部に前記受信メッセージを表示し、同時に呼出動作を行い、前記メッセージが音声メッセージの場合にはあらかじめ前記メッセージを受信した旨の内容を示す予め定められた文字又は画像を表示するのに対し、
　刊行物１記載の発明では、受信メッセージを一旦メモリ７に格納し、格納が終了した時点でブザー等で呼出しを行い、その後、受信メッセージを再生して、音声情報の格納を示す文字、又は記号を表示する点。
　
（ウ）請求項１に係る発明では、記憶手段に格納された前記音声メッセージとそれ以外の通常のメッセージを１つの読出操作によって読出すのに対し、
　刊行物１記載の発明では、選択スイッチ２７と再生スイッチの異なる操作を行っている点。
　
（２）判断
　上記の相違点（ア）については、
　メッセージを受信すると表示部に前記メッセージを表示し、同時に呼出動作を行う無線選択呼出受信機自体は周知技術であり、そのような無線選択呼出受信機を用いて、メッセージを受信すると表示部に前記メッセージを表示し、同時に呼出動作を行うようにすることは、当業者が容易に想到することができたことである。　
　
　しかしながら、上記の相違点（イ）については、
　刊行物１記載の発明は、上記の周知技術の構成を備えたものにおけるものではなく、一旦、受信メッセージをメモリに格納し、その後再生する構成を採用したものにおけるものであり、
　
　刊行物１記載の発明の音声メッセージに対応した文字、又は記号の表示は、音声情報が受信されたことを示すものではなく、メモリに格納されたことを示すもので、また、呼出動作と同時ではなく別の時刻に表示されるものであって、受信時のメッセージ表示とは異なった段階における表示技術であるから、
　
　上記の周知技術を参酌して、刊行物１記載の発明において、受信時に受信メッセージを呼出動作と同時に表示するということは想定できるとしても、　刊行物１記載の発明の前提となっている一旦、受信メッセージをメモリに格納し、その後再生する構成に代えて、刊行物１の表示技術を上記周知技術のメッセージ受信時の表示に適用することは、当業者が容易に想到することができたとは言えない。
　
　したがって、メッセージを受信すると表示部に前記受信メッセージを表示し、同時に呼出動作を行い、前記メッセージが音声メッセージの場合にはあらかじめ前記メッセージを受信した旨の内容を示す予め定められた文字又は画像を表示するようにすることは、刊行物１記載の発明及び上記周知技術から当業者が容易に想到することができたとは言えない。
　
　また、上記の相違点（ウ）については、
　刊行物３には、
　ディジタル変調をかけた電波を受信する受信手段と、受信データを格納するデータ用メモリー手段と、格納したデータを表示させる表示手段と、データ格納後に受信メッセージを出力する音声手段と、スイッチ操作でデータ用メモリーのバンクを選定して受信データをＤ／Ａ変換して音声に変換する音声変換手段、とを備えたボイスページャーにおいて、
　アンテナで無線を受け、自身のＩＤかどうか判断し、自身のＩＤの場合は、データ用メモリーのバンクに書き込み、
　それを受けて、ＲＯＭ１１に記録された受信メッセージを音声変換部１３、アンプ１４を介してスピーカー１５から音声として流し、
　利用者は、受付けを確認し、スイッチ１６を押して音声を切り、次のスイッチ操作で、表示部に電話番号や誰からの呼出しかを画面表示で確認することもできるし、スイッチ操作でスピーカー１５から音声メッセージを再生することもできるボイスページャーが記載されており、
　
　スイッチ１６の操作という１つ読出操作により、メモリに記憶された電話番号等の画面表示とスピーカーからの音声メッセージの再生を行うことが開示されており、記憶手段に格納された音声メッセージとそれ以外の通常のメッセージを１つの読出操作によって読出すこと自体は、通常の構成に過ぎないと認められる。
　
　しかしながら、上記の相違点（ウ）における、１つ読出操作により読出す前記音声メッセージとは、受信したメッセージが音声メッセージの場合に、あらかじめ前記メッセージを受信した旨の内容を示す予め定められた文字又は画像が表示され、音声メッセージは、未だ音声として再生されていないものである。
　
　刊行物２記載の発明では、メモリに記憶された受信メッセージはスピーカーからが音声として再生され、その後、スイッチ操作により、音声を切ったり、電話番号を画面表示したり、スピーカーから音声を再生したりするものであって、
　
　上記の相違点（ウ）の
　１つの読出操作によって、受信メッセージが音声メッセージの場合に受信した旨の文字又は画像が表示がされ、記憶手段に格納された、その前記音声メッセージを、１つ読出操作により読出して音声を再生することは、当業者が容易に想到することができたとは言えない。
　
　そして、上記の相違点（イ）及び（ウ）については、原審の拒絶の理由通知において引用された各刊行物その他の刊行物にも開示されておらず、
　請求項１に係る発明は、各刊行物に記載された発明に基いて当業者が容易に発明をすることができたとは言えない。
　
［請求項２］に係る発明について
　請求項２に係る発明は、請求項１に係る発明と比較すると、請求項１に係る発明の「発明前記メッセージが音声メッセージの場合には前記音声メッセージを受信した旨の内容を示す予め定められた文字又は画像を表示する表示手段」に、「音声メッセージを非出力とする」構成を更に付加して、「前記メッセージが音声メッセージの場合には前記音声メッセージを受信した旨の内容を示す予め定められた文字又は画像を表示し、音声メッセージを非出力とする手段」としている点が相違しているが、
　
　音声メッセージを非出力とする構成を備えていない請求項１に係る発明が各刊行物に記載された発明に基いて当業者が容易に発明をすることができたとは言えないのであるから、上記の音声メッセージを非出力とする構成を更に付加した請求項２に係る発明は、請求項１に係る発明と同様に、各刊行物に記載された発明に基いて当業者が容易に発明をすることができたとは言えない。
　
４．まとめ                     
　したがって、この出願の発明は、特許法第２９条第２項の規定により特許を受けることができないという原査定の判断は妥当ではない。
　また、他に本願を拒絶すべき理由を発見しない。
  よって、結論のとおり審決する。